(57)【要約】実質的に長方形なフェイスプレートパネル（３０）、ファンネルに結合された側壁及び側壁の少なくとも一部を囲い、側壁と当接する防爆バンド（１４）を有する真空エンベロープを有する陰極線管（１０）。陰極線管は、複数の取り付けラグ（１１６、２１６、３１６）によって、キャビネット（１８）に取り付けられている。取り付けラグは、防爆バンドに結合されたベース部（１２８、２２８、３２８）と、ベース部に対して実質的に垂直に延在する接合部と、接合部（１５０、２５０、３５０）に対して角度をもって配置されている取り付け部（１２６、２２６、３２６）とを有している。取り付け部は、取り付け部をキャビネットに連結すべく、留め具を受けるための孔部を有している。
2005531204.tif 000002
【特許請求の範囲】
【請求項１】
陰極線管であって：
実質的に長方形であり、実質的にＸ軸とＹ軸に囲まれたＸ−Ｙ平面に位置するように、かつ、Ｚ軸に直交するように配置されたフェイスプレートパネルと、ファンネルに結合された側壁と、前記側壁の少なくとも一部を囲い、前記側壁と当接する防爆バンドとを有する真空エンベロープ；及び
前記防爆バンドに当接するベース部と、前記ベース部に対して実質的に垂直に、かつ、前記Ｘ−Ｙ平面に対して平行に延在する接合部と、キャビネット係合側部を有し、前記Ｘ−Ｙ平面に対して角度をもって前記接合部から延在する取り付け部とを有する複数の取り付けラグ；
から構成され、
前記取り付け部は、留め具を受けるために前記キャビネット係合側部を貫通する孔部を有し、前記Ｘ軸に対して位置ずれしている、
ところの陰極線管。
【請求項２】
請求項１記載の陰極線管であって、前記取り付け部は、前記接合部に対して実質的に垂直に配置されている、ところの陰極線管。
【請求項３】
請求項１記載の陰極線管であって、前記取り付け部は、前記接合部に対して鋭角をもって配置されている、ところの陰極線管。
【請求項４】
請求項１記載の陰極線管であって、前記ベース部は、前記防爆バンドの表面に溶接されている、ところの陰極線管。
【請求項５】
請求項１記載の陰極線管であって、前記接合部は、第一部分と第二部分とを有し、前記第二部分は、余角端部を有する平面を形成する、ところの陰極線管。
【請求項６】
請求項１記載の陰極線管であって、前記ベース部は前記防爆バンドに結合されている、ところの陰極線管。
【請求項７】
振動軸に沿ってマイクロホニック振動を発生するようにキャビネットに取り付けられている複数のスピーカーを有し、陰極線管の少なくとも一部を囲む防爆バンドを有する前記陰極線管を有するビデオディスプレイ組立体であって、
各々が前記防爆バンドに結合されているベース部と、前記ベース部に対して実質的に垂直に延在する接合部と、前記接合部から延在する取り付け部であって、留め具を受けるための孔部を有し、前記留め具が前記振動軸に対して位置ずれとなるように前記取り付け部と前記キャビネットとを連結するための前記取り付け部とを有する複数の取り付けラグ、
から構成されているビデオディスプレイ組立体。
【請求項８】
請求項７記載の組立体であって、前記取り付け部は、前記接合部に対して実質的に垂直に配置されている、ところの組立体。
【請求項９】
請求項７記載の組立体であって、前記取り付け部は、前記接合部に対して鋭角をもって配置されている、ところの組立体。
【請求項１０】
請求項７記載の組立体であって、前記ベース部は、前記防爆バンドの表面に溶接されている、ところの組立体。
【請求項１１】
請求項７記載の組立体であって、前記接合部は第一部分と第二部分とを有し、前記第二部分は、余角端部を有する平面を形成する、ところの組立体。
【発明の詳細な説明】
【発明の詳細な説明】
【０００１】
［発明の技術分野］
本発明は、陰極線管（ＣＲＴ）に関し、より詳細には、該ＣＲＴをキャビネットに取り付けるための取り付けラグに関するものである。
［発明の背景］
図１に示されているのは、従来の陰極線管（ＣＲＴ）１０であって、ファンネル２２によって接続された実質的に長方形のフェイスプレートパネル３０と管状ネック３４とが含まれる真空ガラスエンベロープ３２を有するものである。電子銃（図示せず）が管状ネック３４内に取り付けられ、ファンネル／ネック接合部付近に配された外部磁性偏向ヨークと使用するために設計されている。フェイスプレートパネル３０は、ガラスフリット３８によってファンネル２２に封止された周辺縁部、即ち、側壁１２を有している。
【０００２】
防爆バンド１４が少なくとも側壁の一部を囲んでいる。防爆バンド１４の一つのタイプとして、両端を溶接部３６で結合した鋼の一片から形成された焼嵌めバンドがある。組立前では、防爆バンド１４の外周は、原始的にフェイスプレートパネル３０の外周よりも若干小さくなっている。その後、防爆バンド１４は、加熱されて、フェイスプレートパネル３０の側壁１２の周囲に嵌合可能な大きさまで膨張される。防爆バンド１４が冷めると、側壁１２に当接するように縮小し、これにより、フェイスプレートパネル３０には圧縮力が加えられる。焼嵌めバンドの態様で防爆バンド１４が示されているが、代わりとして、防爆バンド１４は、両端が、けん縮したクロージャで固定された従来のテンションバンドであってもよい。
【０００３】
取り付けラグ１６がＣＲＴ１０の角部に配され、実質的に長方形のキャビネット開口部４６に隣接するキャビネット１８内にＣＲＴ１０を固定する。図２に示されているように、各取り付けラグ１６は、一般的に、ほぼベース部２８に対して垂直に配された取り付け部２６を有している。取り付けラグ１６のベース部２８は、溶接部により防爆バンド１４の表面に結合される。取り付けラグ１６は、任意的に防爆バンド１４と一体的に又はそれとフェイスプレートパネル３０の側壁１２との間に配されてもよい。取り付けラグ１６の取り付け部２６には、孔部４４が設けられ、それによりＣＲＴ１０とキャビネット１８の対応する穴４８とがボルト、螺子などの結合部材で連結される。取り付け部２６がフェイスプレートパネル３０の側壁１２に対してほぼ垂直であるため、ＣＲＴ１０は、ＣＲＴ１０のＺ軸に沿ってキャビネット１８に連結される。Ｚ軸は点線をもって、図１及び図２に示されている。
【０００４】
図１によって最も良く示されているように、キャビネット１８はスピーカー２４を含んでいる。多くのスピーカー２４が、視聴者の方向に向いて収納されているため、ＣＲＴ１０のＺ軸に平行にキャビネット１８に取り付けられる。スピーカー２４に関連するマイクロホニック作用は、キャビネット１８において振動を生じさせる。スピーカー１８及び取り付けラグ１６のいずれもが、Ｚ軸に沿って取り付けられるため、Ｚ軸に沿った振動は、キャビネット１８から取り付けラグ１６へ、そして、最後にＣＲＴ１０へと結合する。このようなＣＲＴ１０へと結合するマイクロホニック振動は、ＣＲＴ１０内での電子ビームの位置ずれ又は成分のシフトによって、望ましくない画像の異常を引き起こすことがある。よって、ＣＲＴ１０へのマイクロホニック振動の結合を最小限に抑えるべく、Ｚ軸と平行な方向以外の軸に沿ってＣＲＴ１０とキャビネットを連結する取り付けラグを開発することが望ましい。
［発明の概要］
本発明は、実質的に長方形なフェイスプレートパネル、ファンネルに結合された側壁及び側壁の少なくとも一部を囲い、側壁と当接する防爆バンドを有する真空エンベロープを有する陰極線管（ＣＲＴ）に関するものである。ＣＲＴは、複数の取り付けラグによって、キャビネットに取り付けられている。取り付けラグは、防爆バンドに結合されたベース部と、ベース部に対して実質的に垂直に延在する接合部と、接合部に対して角度をもって配置されている取り付け部とを有している。取り付け部は、取り付け部をキャビネットに連結すべく、留め具を受けるための孔部を有している。
［発明の詳細な説明］
以下、添付の図面を参照して、本発明を例示的に説明する。
【０００５】
図３から図８は、第１実施例、第２実施例及び第３実施例の取り付けラグ１１６、２１６、３１６を示している。以下、図１の陰極線管（ＣＲＴ）１０とキャビネット１８に参照しながら第１実施例、第２実施例及び第３実施例までの取り付けラグ１１６、２１６、３１６について説明する。尚、ＣＲＴ１０及びキャビネット１８は、取り付けラグ１１６、２１６、３１６をそれぞれ受けるために、その取り付け箇所が改良されているものと理解されるべきである。
【０００６】
図３及び図４は、第１実施例に係る取り付けラグ１１６を示している。第１実施例に係る取り付けラグ１６は、ベース部１２８、接合部１５０及び取り付け部１２６を有している。ベース部１２８は、外側部１５２と内側部１５４とを有し、接合部１５０の第一端部１６４に対して実質的に垂直に配されている。第一接合側部１５６と第二接合側部１５８とが第一端部１６４から第二端部１６６に延在し、取り付け部１２６を接合するようになっている。取り付け部１２６は、留め具係合側部１６０とキャビネット係合部１６２とを有している。孔部１４４は外側部１６０からキャビネット係合部１６２へと延在している。キャビネット係合側部１６２は、第二接合側部１５８の方向に角度をもって傾斜され、これにより、取り付け部１２６がキャビネット１８に連結されたときには、取り付け部１２６は、ＣＲＴ１０のＺ軸とＹ軸との間の軸外れ平面に配置される。
【０００７】
次に、取り付けラグ１６のキャビネット１８への取り付けについて、図３を参照しながら説明する。実質上フェイスプレートパネル３０の角において、ベース部１２８の内側部１５４は、防爆バンド１４の表面７０に隣接して配され，これにより、第二接合部１５８がキャビネット開口部４６側に配され、孔部１４４がキャビネット１８における対応する穴４８に隣接して配される。次にベース部１２８は溶接部（図示せず）によって防爆バンド１４の表面７０に結合される。代わりとして、ベース部１２８は、表面７０の下に配されてもよく、これにより外側部１５２が防爆バンド１４に係合するようになる。ＣＲＴ１０のＺ軸とＹ軸との間の軸外し平面にてＣＲＴ１０とキャビネット１８とを連結すべく、ボルト、螺子などの留め手段が孔部１４４に挿入され、キャビネット１８で受けられる。
【０００８】
図５及び図６は、第２実施例に係る取り付けラグ２１６を示している。第２実施例に係る取り付けラグ２１６は、ベース部２２８、接合部２５０及び取り付け部２２６を有している。ベース部２２８は、外側部２５２と内側部２５４とを有し、接合部２５０の第一端部２６４に対して実質的に垂直に配されている。第一接合側部２５６と第二接合側部２５８とが第一端部２６４から第二端部２６６に延在し、取り付け部２２６に対して実質的に垂直に配されている。取り付け部２２６は、留め具係合側部２６０とキャビネット係合部２６２とを有している。孔部２４４は留め具係合側部２６０を貫通してキャビネット係合部２６２へと延在している。キャビネット係合側部２６２は、外側部２５２と実質的に平行であり、これにより、取り付け部２２６がキャビネット１８に連結されたときには、取り付け部２２６は、ＣＲＴ１０のＹ軸に沿って配置される。
【０００９】
次に、取り付けラグ２１６のキャビネット１８への取り付けについて、図５を参照しながら説明する。実質上フェイスプレートパネル３０の角において、ベース部２２８の内側部２５４は、防爆バンド１４の表面７０に隣接して配され，これにより、第二接合部２５８がキャビネット開口部４６側に配され、孔部２４４がキャビネット１８における対応する穴４８に隣接して配される。次にベース部２２８は溶接部（図示せず）によって防爆バンド１４の表面７０に結合される。代わりとして、ベース部１２８は、表面７０の下に配されてもよく、これにより外側部２５２が防爆バンド１４に係合するようになる。ＣＲＴ１０のＹ軸に沿ってＣＲＴ１０とキャビネット１８とを連結すべく、ボルト、螺子などの留め手段が孔部２４４に挿入され、キャビネット１８で受けられる。
【００１０】
図７及び図８は、第３実施例に係る取り付けラグ３１６を示している。第３実施例に係る取り付けラグ３１６は、ベース部３２８、接合部３５０及び取り付け部３２６を有している。ベース部３２８は、外側部３５２と内側部３５４とを有する。接合部３５０は、二つの部分３６８、３７２により形成されている。第一部分３６８は、第一端部３６４からベース部３２８に対して実質的に垂直方向に延在している。第二分分３７２は、余角端部３７４、３７６を有する平面を形成する。取り付け部３２６は、余角端部３７６から延在し、留め具係合側部３６０とキャビネット係合部３６２とを有している。キャビネット係合側部３６２は、接合部３５０の方向に戻されるような態様で角度をもって傾斜され、これにより、取り付け部３２６がキャビネット１８に連結されたときには、取り付け部３２６は、ＣＲＴ１０のＺ軸とＹ軸との間の軸ずれした平面に配置される。取り付け部３２６には、留め具係合側部３６０を貫通してキャビネット係合部３６２へと延在する孔部３４４が設けられている。
【００１１】
次に、取り付けラグ３１６のキャビネット１８への取り付けについて、図７を参照しながら説明する。実質上フェイスプレートパネル３０の角において、ベース部３２８の内側部３５４は、防爆バンド１４の表面７０に隣接して配され，これにより、第二接合部３５８がキャビネット開口部４６側に配され、孔部３４４がキャビネット１８における対応する穴４８に隣接して配される。次にベース部１２８は溶接部（図示せず）によって防爆バンド１４の表面７０に結合される。代わりとして、ベース部３２８は、表面７０の下に配されてもよく、これにより外側部３５２が防爆バンド１４に係合するようになる。ＣＲＴ１０のＺ軸とＹ軸との間の軸ずれした平面にてＣＲＴ１０とキャビネット１８とを連結すべく、ボルト、螺子などの留め手段が留め具係合側部３６０における孔部３４４に挿入され、キャビネット１８で受けられる。
【００１２】
ＣＲＴ１０へのマイクロホニック連成と振動を最小限に抑えるべく、第１実施例、第２実施例及び第３実施例に係る取り付けラグ１１６、２１６、３１６をもって、有利に防爆ＣＲＴ１０とキャビネット１８とがＺ軸と平行な方向以外の軸に沿って連結される。
【００１３】
前記は、本発明を実施するための例の一部を示すものである。発明の技術的範囲及び精神の範囲内において他の実施例も多数存在する。よって、前記説明は、限定的ではなく、例示的なものとして意図され、本発明の技術的範囲及びそれと均等なる最大範囲は添付の特許請求の範囲によって示されている。
【図面の簡単な説明】
【００１４】
【図１】図１は、従来技術における従来の取り付けラグによって連結されたＣＲＴの斜視図である。
【図２】図２は、従来技術における従来の取り付けラグの斜視図である。
【図３】図３は、ＣＲＴの拡大された部分的断面図であり、第１実施例に係る取り付けラグによってキャビネットに取り付けられているＣＲＴを示すものである。
【図４】図４は、第１実施例に係る取り付けラグの斜視図である。
【図５】図５は、ＣＲＴの拡大された部分的断面図であり、第２実施例に係る取り付けラグによってキャビネットに取り付けられているＣＲＴを示すものである。
【図６】図６は、第２実施例に係る取り付けラグの斜視図である。
【図７】図７は、ＣＲＴの拡大された部分的断面図であり、第３実施例に係る取り付けラグによってキャビネットに取り付けられているＣＲＴを示すものである。
【図８】図８は、第３実施例に係る取り付けラグの斜視図である。
【図１】
2005531204.tif 000003
【図２】
2005531204.tif 000004
【図３】
2005531204.tif 000005
【図４】
2005531204.tif 000006
【図５】
2005531204.tif 000007
【図６】
2005531204.tif 000008
【図７】
2005531204.tif 000009
【図８】
2005531204.tif 000010
【国際調査報告】
2005531204.tif 000011
2005531204.tif 000012
2005531204.tif 000013